(57)【要約】【課題】ユーザの使い勝手を損なうことなく、周囲音量に応じたスピーカ音量の制御を実行可能とした電子機器を提供する。【解決手段】電源オン時、スピーカ音量制御部１４１は、まず、マイク１９１から周囲の音量を取得し、この周囲音量に基づき、スピーカ１９２の音量を決定する。次に、スピーカ音量制御部１４１は、この周囲音量に基づいて決定したスピーカ１９２の音量の値をＬＣＤ１５に表示する。この表示後、スピーカ音量制御部１４１は、スピーカ音量の変更操作が行われたかどうかを監視し、所定の時間を越えて行われなければ、その決定した音量をサウンドコントローラ１９に通知する。一方、変更操作が行われたら、スピーカ音量制御部１４１は、ユーザから指定された音量をサウンドコントローラ１９に通知する。【選択図】      図１
2005107585.tif 000002
【特許請求の範囲】
【請求項１】
マイクと、
スピーカと、
前記マイクから入力される音量に応じて前記スピーカの音量値を決定する決定手段と、
前記決定手段により決定された前記スピーカの音量値を表示する表示手段と、
前記表示手段により前記スピーカの音量値が表示された後、予め定められた時間所定の操作が行われなかった場合に、前記表示された音量値を前記スピーカの音量に設定する制御手段と
を具備することを特徴とする電子機器。
【請求項２】
前記スピーカの初期音量値を設定する設定手段と、
前記表示手段により前記スピーカの音量値が表示された後、予め定められた時間内に所定の操作が行われた場合に、前記決定手段により決定された音量値および前記設定手段により設定された初期音量値のいずれかを選択するための画面を表示する選択画面表示手段と
をさらに具備し、
前記制御手段は、前記選択画面表示手段により表示された画面上で選択された音量値を前記スピーカの音量に設定することを特徴とする請求項１記載の電子機器。
【請求項３】
前記選択画面表示手段は、前記スピーカの音量値をユーザが任意に指定するための選択肢を前記画面上に設け、
前記制御手段は、前記選択肢により任意の音量値が指定された場合には、その指定された音量値を前記スピーカの音量に設定することを特徴とする請求項２記載の電子機器。
【請求項４】
前記設定手段により設定された初期音量値を示すデータを格納するレジスタを具備し、
前記制御手段は、前記選択画面表示手段により表示された前記画面上で前記決定手段により決定された音量値が選択された場合であっても、前記レジスタに格納されたデータの更新は行わないことを特徴とする請求項２記載の電子機器。
【請求項５】
前記決定手段、前記表示手段および前記制御手段を前記電子機器の起動時に動作させるシステム制御手段をさらに具備することを特徴とする請求項１記載の電子機器。
【請求項６】
前記システム制御手段は、前記決定手段、前記表示手段および前記制御手段を、ユーザからの要求に応じて随時動作させる手段を有することを特徴とする請求項５記載の電子機器。
【請求項７】
前記システム制御手段は、前記決定手段、前記表示手段および前記制御手段を、前記電子機器の起動時に動作させるか否かを設定する手段を有することを特徴とする請求項５記載の電子機器。
【請求項８】
マイクと、
スピーカと、
前記スピーカの初期音量値を設定する設定手段と、
前記マイクから入力される音量に応じて前記スピーカの音量値を決定する決定手段と、
前記設定手段により設定された初期音量値および前記決定手段により決定された音量値のいずれかを選択するための画面を表示する表示手段と、
前記表示手段により表示された画面上で選択された音量値を前記スピーカの音量に設定する制御手段と
を具備することを特徴とする電子機器。
【請求項９】
前記表示手段は、前記スピーカの音量値をユーザが任意に指定するための選択肢を前記画面上に設け、
前記制御手段は、前記選択肢により任意の音量値が指定された場合には、その指定された音量値を前記スピーカの音量に設定することを特徴とする請求項８記載の電子機器。
【請求項１０】
前記制御手段は、前記表示手段により前記画面が表示された後、予め定められた時間内に前記画面上での選択が行われなかった場合、前記決定手段により決定された音量値が選択されたものと判断することを特徴とする請求項８記載の電子機器。
【請求項１１】
前記設定手段により設定された初期音量値を示すデータを格納するレジスタを具備し、
前記制御手段は、前記表示手段により表示された前記画面上で前記決定手段により決定された音量値が選択された場合であっても、前記レジスタに格納されたデータの更新は行わないことを特徴とする請求項８記載の電子機器。
【請求項１２】
前記決定手段、前記表示手段および前記制御手段を前記電子機器の起動時に動作させるシステム制御手段をさらに具備することを特徴とする請求項８記載の電子機器。
【請求項１３】
前記システム制御手段は、前記決定手段、前記表示手段および前記制御手段を、ユーザからの要求に応じて随時動作させる手段を有することを特徴とする請求項１２記載の電子機器。
【請求項１４】
前記システム制御手段は、前記決定手段、前記表示手段および前記制御手段を、前記電子機器の起動時に動作させるか否かを設定する手段を有することを特徴とする請求項１２記載の電子機器。
【請求項１５】
マイクおよびスピーカを有する電子機器のスピーカ音量制御方法であって、
前記マイクから入力される音量に応じて前記スピーカの音量値を決定し、
前記決定した前記スピーカの音量値を表示し、
前記スピーカの音量値を表示した後、予め定められた時間所定の操作が行われなかった場合に、前記表示した音量値を前記スピーカの音量に設定する
ことを特徴とするスピーカ音量制御方法。
【請求項１６】
前記スピーカの音量値を表示した後、予め定められた時間内に所定の操作が行われた場合に、前記決定した音量値および予め設定された初期音量値のいずれかを選択するための画面を表示し、この画面上で選択された音量値を前記スピーカの音量に設定することを特徴とする請求項１５記載のスピーカ音量制御方法。
【請求項１７】
前記スピーカの音量値をユーザが任意に指定するための選択肢を前記画面上に設け、この選択肢により任意の音量値が指定された場合には、その音量値を前記スピーカの音量に設定することを特徴とする請求項１６記載のスピーカ音量制御方法。
【請求項１８】
マイクおよびスピーカを有する電子機器のスピーカ音量制御方法であって、
前記マイクから入力される音量に応じて前記スピーカの音量値を決定し、
前記決定した音量値および予め設定された初期音量値のいずれかを選択するための画面を表示し、
前記表示した画面上で選択された音量値を前記スピーカの音量に設定する
ことを特徴とするスピーカ音量制御方法。
【請求項１９】
前記スピーカの音量値をユーザが任意に指定するための選択肢を前記画面上に設け、この選択肢により任意の音量値が指定された場合には、その音量値を前記スピーカの音量に設定することを特徴とする請求項１８記載のスピーカ音量制御方法。
【請求項２０】
前記画面を表示した後、予め定められた時間内に前記画面上での選択が行われなかった場合、前記決定した音量値が選択されたものと判断することを特徴とする請求項１８記載のスピーカ音量制御方法。
【発明の詳細な説明】
【技術分野】
【０００１】
この発明は、例えばパーソナルコンピュータなどの電子機器におけるスピーカの音量調整技術に関する。
【背景技術】
【０００２】
近年、ノートブックタイプのパーソナルコンピュータやＰＤＡ（Personal Digital Assistant）端末など、バッテリ駆動可能で携行容易な電子機器が広く普及している。この種の電子機器は、マイクを介した音声入力機能やスピーカを介した音声出力機能などのいわゆるサウンド機能を備えていることが多く、このサウンド機能を利用して、簡単な音声メモを記録したり、音楽を観賞したりすることを可能としている。
【０００３】
ところで、この種の電子機器は、前述したように、携行容易に構成されるため、例えば外出先や移動中における利用も十分に考えられる。つまり、ある時は静寂な環境で利用され、またある時は騒々しい環境で利用されることも何ら特別な事ではない。一方、サウンド機能で使用されるスピーカの音量は、通常、ユーザからの明示的な操作に応じて切り換わるものである。従って、前回の利用時は静寂な環境であったが、現在は騒々しい環境にいる場合、あるいはその逆に、前回の利用時は騒々しい環境であったが、現在は静寂な環境にいる場合、例えば電源オン直後に、ユーザは、このスピーカの音量を切り換える作業を行わなければならない。
【０００４】
このようなことから、最近では、マイクで入力した周囲音の音量に基づき、スピーカの音量を自動的に調整するパーソナルコンピュータなども考え出されている（例えば特許文献１参照）。このパーソナルコンピュータによれば、静寂な環境から騒々しい環境へと移動した場合、スピーカの音量が自動的に上がり、一方、騒々しい環境から静寂な環境へと移動した場合には、スピーカの音量が自動的に下がるので、スピーカの音量を切り換える作業を不要とすることができる。
【特許文献１】特開平６−５１９４０号公報
【発明の開示】
【発明が解決しようとする課題】
【０００５】
前述した特許文献１のパーソナルコンピュータにおいては、スピーカを介して出力する音声として、ブザー音を想定している。このブザー音は、何らかの事象発生をユーザに通知するためのものであるため、その音量が例えば短期間に多少上下してもそれ程問題ではない。しかしながら、例えば音楽を観賞している場合や語学学習用の音声を聞いているような場合には、周辺の環境に関わらず、その音量が一定に保たれている方が好ましく、たとえ環境が変化したからといって、その音量が頻繁に上下したのでは、使い勝手を却って阻害する。
【０００６】
また、騒々しい環境にいるからといって、一律にスピーカの音量が上がることを望まないユーザも多く、同様に、静寂な環境にいるからといって、一律にスピーカの音量が下がることを望まないユーザも多い。
【０００７】
この発明は、このような事情を考慮してなされたものであり、ユーザの使い勝手を損なうことなく、周囲音量に応じたスピーカ音量の制御を実行可能とした電子機器およびスピーカ音量制御方法を提供することを目的とする。
【課題を解決するための手段】
【０００８】
前述した目的を達成するために、この発明の電子機器は、マイクと、スピーカと、前記マイクから入力される音量に応じて前記スピーカの音量値を決定する決定手段と、前記決定手段により決定された音量値を表示する表示手段と、前記表示手段により前記スピーカの音量値が表示された後、予め定められた時間所定の操作が行われなかった場合に、前記表示された音量値を前記スピーカの音量に設定する制御手段とを具備することを特徴とする。
【０００９】
また、この電子機器は、前記スピーカの初期音量値を設定する設定手段と、前記表示手段により前記スピーカの音量値が表示された後、予め定められた時間内に所定の操作が行われた場合に、前記決定手段により決定された音量値および前記設定手段により設定された初期音量値のいずれかを選択するための画面を表示する選択画面表示手段とをさらに具備し、前記制御手段は、前記選択画面表示手段により表示された画面上で選択された音量値を前記スピーカの音量に設定することを特徴とする。
【００１０】
また、この発明は、前記選択画面表示手段は、前記スピーカの音量値をユーザが任意に指定するための選択肢を前記画面上に設け、前記制御手段は、前記選択肢により任意の音量値が指定された場合には、その指定された音量値を前記スピーカの音量に設定することを特徴とする。
【００１１】
この電子機器においては、例えば電源オン時に、マイクから入力される周囲の音量に応じたスピーカの音量をユーザに提示し、この提示に対して例えば所定のキー入力がユーザからなされなければ、その音量をスピーカの音量に採用する。一方、この提示に対して例えば所定のキー入力がなされたら、スピーカ音量をユーザが任意に選択するための画面を表示する。
【００１２】
これにより、その時々の環境に応じたスピーカ音量が推奨値として提示され、かつ、簡単な操作でその音量を変更できるといった、ユーザにとって適切なスピーカの音量制御が実現されることになる。
【発明の効果】
【００１３】
このように、この発明によれば、ユーザの使い勝手を損なうことなく、周囲音量に応じたスピーカ音量の制御を実行可能とした電子機器およびスピーカ音量制御方法を提供することができる。
【発明を実施するための最良の形態】
【００１４】
以下、図面を参照してこの発明の実施形態を説明する。
【００１５】
図１は、この発明の実施形態に係る電子機器の概略構成を示す図である。
【００１６】
この電子機器は、例えばノートブックタイプのパーソナルコンピュータであり、ＣＰＵ１１によって全体の制御が司られている。ＣＰＵ１１は、高速のローカルバスと接続されており、ブリッジコントローラ１２は、このＣＰＵローカルバスと、当該機器内部に敷設されるシステムバスとの間を相互に接続するブリッジ機能を提供している。
【００１７】
また、このブリッジコントローラ１２には、システムメモリ１３およびＢＩＯＳ−ＲＯＭ１４が接続されており、ブリッジコントローラ１２は、これらに対するアクセス制御機能も有している。ブリッジコントローラ１２は、レジスタを内蔵しており、このレジスタを介して外部からの指示を受け付ける。
【００１８】
システムメモリ１３は、この電子機器の主記憶となる記憶媒体であり、ＣＰＵ１１によって実行される各種プログラムや、これら各種プログラムで利用される各種データを一時的に格納する。一方、ＢＩＯＳ−ＲＯＭ１４は、ＢＩＯＳ（Basic I/O System：基本入出力システム）を格納する記憶媒体であり、プログラムによる書き換えが可能なフラッシュメモリで構成されている。なお、以下では、このＢＩＯＳ−ＲＯＭ１４に格納されるＢＩＯＳそのものをＢＩＯＳ１４と表記することがある。ＢＩＯＳ１４は、後述するスピーカ音量制御部１４１を有し、また、このＢＩＯＳ−ＲＯＭ１４には、当該電子機器の動作環境に関する各種設定内容を示す環境設定情報１４２を格納するための記憶領域が確保されている。この記憶領域に格納される環境設定情報１４２の中には、後述するスピーカ１９２の音量も含まれる。そして、ＢＩＯＳ１４は、この動作環境を設定するためのユーザインタフェースを有している。
【００１９】
また、ブリッジコントローラ１２は、さらにディスプレイコントローラとしての機能を併せ持っており、ＣＰＵ１１が作成した画像データをＬＣＤ（Liquid Crystal Display）１５に表示制御する。このブリッジコントローラ１２によってＣＰＵローカルバスと相互接続されるシステムバスには、磁気ディスク装置（ＨＤＤ）１６、光ディスク装置（ＯＤＤ）１７、キーボードコントローラ（ＫＢＣ）１８およびサウンドコントローラ１９が接続される。
【００２０】
ＨＤＤ１６およびＯＤＤ１７は、この電子機器の外部記憶となる記憶媒体であり、システムメモリ１３の補助装置として大量の各種プログラムおよび各種データを格納する。ＫＢＣ１８は、ユーザによるキーボード（ＫＢ）１８１およびマウス１８２の操作をＣＰＵ１１に伝達する。また、サウンドコントローラ１９は、マイク１９１から入力された音声をＡ（アナログ）／Ｄ（デジタル）変換してＣＰＵ１１に転送するとともに、ＣＰＵ１１から転送された音声データをＤ／Ａ変換してスピーカ１９２から出力する。
【００２１】
このスピーカ１９２の音量は、サウンドコントローラ１９によって調整されるが、その制御は、前述したＢＩＯＳ１４のスピーカ音量制御部１４１が実行する。そして、この実施形態の電子機器は、このスピーカ音量制御部１４１が、スピーカ１９２の音量を適切に制御する点を特徴としており、以下、この点について詳述する。
【００２２】
電子機器の電源がオンされると、ＢＩＯＳ１４によりシステムの初期化とオペレーティングシステムの起動が実行されるが、このシステムの初期化後、オペレーティングシステムの起動前に、ＢＩＯＳ１４のスピーカ音量制御部１４１は、次の手順でスピーカ１９２の音量制御を実行する。
【００２３】
まず、スピーカ音量制御部１４１は、マイク１９１から周囲の音量を取得する。例えば混雑した電車の中では、室内と比べて大音量が入力されることになる。次に、スピーカ音量制御部１４１は、この周囲の音量に基づき、スピーカ１９２の音量を決定する。この決定を行うために、スピーカ音量制御部１４１は、図２に示すしきい値テーブルを具備している。図２に示すように、このしきい値テーブルは、しきい値Ｘとスピーカ音量Ｚとの対応関係を保持するテーブルであり、このしきい値テーブルを用いて、スピーカ音量制御部１４１は、取得した周辺音量データＹからスピーカ音量Ｚを選定する。図３は、周辺音量データＹとしきい値Ｘとの比較からスピーカ音量Ｚを選定するスピーカ音量制御部１４１のアルゴリズムを示す図である。
【００２４】
例えば、取得した周辺音量データＹがしきい値Ｘ0よりも小さい場合、スピーカ音量制御部１４１は、スピーカ音量としてＺ0を選定する。また、このしきい値Ｘ0以上であってしきい値Ｘ1よりも小さい場合、スピーカ音量制御部１４１は、スピーカ音量としてＺ1を選定する。以下、同様に、しきい値Ｘ1以上であってしきい値Ｘ2よりも小さい場合には、スピーカ音量Ｚ2を選定するといった要領で、取得した周辺音量データＹに合致したスピーカ音量Ｚを選定する。
【００２５】
スピーカ１９２の音量を決定すると、スピーカ音量制御部１４１は、そのスピーカ音量Ｚを暫定的に採用してサウンドコントローラ１９に通知した後、いわゆるサウンドロゴ用の音声データまたはビープ音用の音声データをサウンドコントローラ１９に送信する。サウンドロゴとは、通常のロゴが視覚的にユーザに認識されるマークであるのに対し、所定のメロディ等で聴覚的にユーザに認識されるマークのことである。これにより、暫定的に採用された音量で、サウンドロゴまたはビープ音が、スピーカ１９２から出力されることになる。また、これとほぼ同時に、スピーカ音量制御部１４１は、この音量値を推奨値としてＬＣＤ１５に表示する。図４は、この音量値の表示例を示す図である。ここでは、取得した周辺音量データＹが、しきい値Ｘ0以上であってしきい値Ｘ1よりも小さかったため、スピーカ音量としてＺ1が選定され、その結果、このスピーカ音量Ｚ1のしきい値テーブル上でのシーケンシャルナンバーである“１”が表示されたものとする。
【００２６】
マイク１９１から取得した周辺音量に応じて決定したスピーカ１９２の音量を、図４に示すように“current volume”としてＬＣＤ１５上に表示した後、スピーカ音量制御部１４１は、そのまま所定の時間（例えば５秒）待機する。そして、この時間内に所定のキー入力がなければ、スピーカ音量制御部１４１は、スピーカ１９２の音量制御を終了する。つまり、何も行動を起こさないことにより、暫定的に採用した音量の推奨値をスピーカ音量に正式に設定する。その結果、オペレーティングシステムが起動された後、スピーカ１９２から何らかの音声データが出力される際には、その音量は、マイク１９１から取得した周辺音量に応じて決定した音量となる。ここでは、所定のキーとして、ＫＢ１８１上のＳキーが定義されているものとし、図４では、（Press Skey）と表示することにより、この音量を変更したい場合の操作方法をユーザに提示している。
【００２７】
一方、サウンドロゴまたはビープ音を聴いた結果、またはＬＣＤ１５上に表示された推奨値を見た結果、その音量を変更したいと思った場合、ユーザは、この所定の時間内にＫＢ１８１上のＳキーを押下する。そして、このＳキー押下の通知をＫＢＣ１８経由で受け取ったスピーカ音量制御部１４１は、今度は、例えば図５に示す画面をＬＣＤ１５上に表示する。
【００２８】
この画面は、ユーザ自らがスピーカ１９２の音量を選択するための画面であり、図５に示すように、スピーカ音量制御部１４１がマイク１９１から取得した周辺音量に応じて決定した音量の推奨値（(1) current volume）のほか、ユーザが予め設定して前述した環境設定情報１４２に格納された音量の初期値（(2) default volume）およびユーザがその時々で任意に指定する音量（(3) arbitrary volume）が選択肢として表示される。また、最後の（３）の選択肢の表示領域中には、さらに所望の音量をユーザが入力するためのエリアが設けられる。
【００２９】
つまり、この画面上で（２）を選択すれば、ユーザは、その時の環境に関わらず、自分が予め設定した音量の初期値を適用でき、また、（３）を選択すれば、ユーザは、その時の状況に応じて、スピーカ音量制御部１４１から提示された推奨値に囚われることなく任意の音量を適用できる。
【００３０】
この図５に示した画面で音量の変更が行われると、スピーカ音量制御部１４１は、そのスピーカ音量をサウンドコントローラ１９に通知する。これにより、オペレーティングシステムが起動された後、スピーカ１９２から何らかの音声データが出力される際には、その音量は、ユーザが選択した音量、つまり、予め設定しておいた音量の初期値やその時に任意に指定した音量となる。
【００３１】
なお、スピーカ音量制御部１４１は、以上の手順で決定されたスピーカ１９２の音量を環境設定情報１４２に反映させることは行わない。この環境設定情報１４２には、ＢＩＯＳ１４のユーザインタフェースによりユーザが能動的に設定した音量の初期値が常に格納されるようにする。
【００３２】
図６は、この実施形態の電子機器で実行されるスピーカ音量制御の流れを示すフローチャートである。
【００３３】
電源がオンされた後、ＢＩＯＳ１４によるシステムの初期化が実行されると（ステップＡ１）、スピーカ音量制御部１４１は、まず、マイク１９１から入力される周囲の音量を取得する（ステップＡ２）。次に、スピーカ音量制御部１４１は、この取得した周囲の音量に基づき、スピーカ１９２の音量を決定する（ステップＡ３）。
【００３４】
スピーカ１９２の音量を決定すると、スピーカ音量制御部１４１は、その音量をサウンドコントローラ１９に通知した後、いわゆるサウンドロゴ用またはビープ音用の音声データをサウンドコントローラ１９に送信するとともに（ステップＡ４）、周囲音量に基づいて決定したスピーカ１９２の音量の値をＬＣＤ１５に表示する（ステップＡ５）。
【００３５】
このＬＣＤ１５へのスピーカ音量の表示後、スピーカ音量制御部１４１は、このスピーカ音量の変更操作が行われたかどうかを監視し（ステップＡ６）、もし、変更操作が行われたら（ステップＡ６のＹＥＳ）、さらに、それが予め設定された音量への変更かどうかを判定する（ステップＡ７）。
【００３６】
予め設定された音量への変更であった場合（ステップＡ７のＹＥＳ）、スピーカ音量制御部１４１は、環境設定情報１４２として格納された、ユーザが予め設定した音量をサウンドコントローラ１９に通知する（ステップＡ８）。一方、予め設定された音量への変更でなかった場合（ステップＡ７のＮＯ）、つまりユーザが任意に音量を指定する場合、スピーカ音量制御部１４１は、そのユーザが任意に指定した音量をサウンドコントローラ１９に通知する（ステップＡ９）。
【００３７】
そして、このスピーカ音量制御部１４１によるスピーカ音量のセットが終了すると、ＢＩＯＳ１４は、オペレーティングシステムを起動して、その制御を起動後のオペレーティングシステムに引き渡す（ステップＡ１０）。
【００３８】
このように、この実施形態の電子機器によれば、その時々の環境に応じたスピーカ音量を推奨値として提示し、かつ、その音量の変更を簡単な操作で受け付けるといった、ユーザにとって適切なスピーカの音量制御を実現する。
【００３９】
なお、前述した実施形態では、電子機器の電源オン時にスピーカ音量制御部１４１が動作してスピーカ１９２の音量を制御する例を説明したが、このスピーカ音量制御部１４１によるスピーカ音量の制御は、電源オン時のみに限られず、その他のタイミングで行っても有効である。例えばＫＢ１８１上の所定のキーが押下された場合にスピーカ音量制御部１４１が動作するようにＢＩＯＳ１４が当該所定のキー入力を監視すれば、例えばその前後で著しく異なる環境間を移動したような場合、ユーザは、その所定のキーを押下することによって、スピーカ１９２の音量の推奨値を得られ、かつ、それを踏まえた上での変更を行うことも容易に可能である。さらに、ＢＩＯＳ１４が、電子機器の電源オン時にスピーカ音量制御部１４１を動作させるかどうかを設定できるようにしてもよい。
【００４０】
また、前述した実施形態では、まず、スピーカ音量の推奨値を提示し、これに対して所定の操作が行われた場合に、スピーカ音量を初期値等に変更するための画面を表示する例を説明したが、この推奨値と初期値等とを一時に選択肢として表示しても良い。
【００４１】
つまり、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４２】
【図１】この発明の実施形態に係る電子機器の概略構成を示す図。
【図２】同実施形態のスピーカ音量制御部が具備するしきい値テーブルが保持するデータの一例を示す図
【図３】同実施形態のスピーカ音量制御部が周辺音量データＹとしきい値Ｘとの比較からスピーカ音量Ｚを選定するアルゴリズムを示す図
【図４】同実施形態のスピーカ音量制御部によるＬＣＤへのスピーカ音量の一表示例を示す図
【図５】同実施形態のスピーカ音量制御部がユーザにスピーカ音量を選択させるために表示する画面例を示す図
【図６】同実施形態の電子機器で実行されるスピーカ音量制御の流れを示すフローチャート
【符号の説明】
【００４３】
１１…ＣＰＵ、１２…ブリッジコントローラ、１３…システムメモリ、１４…ＢＩＯＳ−ＲＯＭ、１５…ＬＣＤ、１６…磁気ディスク装置（ＨＤＤ）、１７…光ディスク装置（ＯＤＤ）、１８…キーボードコントローラ（ＫＢＣ）、１９…サウンドコントローラ、１４１…スピーカ音量制御部、１４２…環境設定情報、１８１…キーボード（ＫＢ）、１８２…マウス、１９１…マイク、１９２…スピーカ。
【図１】
2005107585.tif 000003
【図２】
2005107585.tif 000004
【図３】
2005107585.tif 000005
【図４】
2005107585.tif 000006
【図５】
2005107585.tif 000007
【図６】
2005107585.tif 000008